(57)【要約】【課題】給湯部と、湯と水とを混合する混合弁とを繋ぐ給湯配管に配設されるべき水温検出手段が他の配管に誤配設された場合に、その事を検知できる異常検知装置を提供する。【解決手段】この異常検知装置は、給湯部３，５から湯水が流出する状態であるか否かを検知する流量センサＷ１，Ｗ２と、給湯部３，５からの湯水が設定温度になる様に混合弁Ｂ２，Ｂ３を制御する制御部５１と、貯湯タンク１内の湯の温度を検出するサーミスタＴ１と、給湯配管ｈ５，ｈ８に流れる湯水の温度を検出するサーミスタＴ２，Ｔ３と、給湯部３，５から湯水が流出する状態であることが検知される状態で、且つサーミスタＴ２，Ｔ３の検出温度が前記設定温度よりも低く且つサーミスタＴ１の検出温度が前記設定温度よりも高い状態が、所定時間継続した場合に、異常状態と判定する判定部５２とを備える。【選択図】図１
2010190509.tif 000002
【特許請求の範囲】
【請求項１】
貯湯タンク（１）と、
前記貯湯タンクからの湯と所定の給水管（ｈ２）からの水とを混合する混合弁（Ｂ２，Ｂ３）と、
前記混合弁で混合された湯水を給湯部（５，３）へと流す給湯配管（ｈ５，ｈ８）と、
前記給湯部から湯水が流出する状態であるか否かを検知する給湯検知手段（Ｗ１，Ｗ２）と、
前記混合弁で混合された湯水が設定温度になる様に前記混合弁を制御する制御手段（５１）と、
前記貯湯タンク内の湯の温度を検出する第１の水温検出手段（Ｔ１）と、
前記給湯配管内の湯水の温度を検出すべき第２の水温検出手段（Ｔ２，Ｔ３）と、
前記給湯検知手段により前記給湯部から湯水が流出する状態であることが検知される状態で、且つ前記第２の水温検出手段の検出温度が前記設定温度よりも低く且つ前記第１の水温検出手段の検出温度が前記設定温度よりも高い状態が、所定時間継続した場合に、前記第２の水温検出手段が誤配設された異常状態と判定する判定手段（５２）と、
を備えることを特徴とする異常検知装置。
【請求項２】
請求項１に記載の異常検知装置であって、
前記判定手段が前記異常状態と判定した場合に、その旨を報知する報知する報知手段（５３）
を更に備えることを特徴とする異常検知装置。
【請求項３】
請求項１または請求項２に記載の異常検知装置であって、
前記制御手段は、前記判定手段が前記異常状態と判定した場合に、前記混合弁を前記所定の給水管側に全開させることを特徴とする異常検知装置。
【請求項４】
貯湯タンク（１）と、
前記貯湯タンクからの湯と所定の給水管（ｈ２）からの水とを個別に混合する第１及び第２混合弁（Ｂ２，Ｂ３）と、
前記第１混合弁で混合された湯水を第１給湯部（５）へと流す第１給湯配管（ｈ５）と、
前記第２混合弁で混合された湯水を第２給湯部（３）へと流す第２給湯配管（ｈ８）と、
前記第１給湯部から湯水が流出する状態であるか否かを検知する第１給湯検知手段（Ｗ１）と、
前記第１混合弁で混合された湯水が設定温度になる様に前記第１混合弁を制御する制御手段（５１）と、
前記貯湯タンク内の湯の温度を検出する第１の水温検出手段（Ｔ１）と、
前記第１及び第２給湯配管の何れか一方に配設され、前記一方にある湯水の温度を検出する第２の水温検出手段（Ｔ２またはＴ３）と、
前記第１給湯検知手段により前記第１給湯部から湯水が流出する状態であることが検知される状態で、且つ前記第２の水温検出手段の検出温度が前記設定温度よりも低く且つ前記第１の水温検出手段の検出温度が前記設定温度よりも高い状態が所定時間継続したか否かを判定し、前記判定の結果が肯定的であれば前記第２の水温検出手段が前記第２給湯配管に配設されたと判定し、前記結果が否定的であれば前記第２の水温検出手段が前記第１給湯配管に配設されたと判定する判定手段（５２）と、
を備えることを特徴とする水温検出手段配設判断装置。
【発明の詳細な説明】
【技術分野】
【０００１】
本発明は、貯湯式給湯装置に適用される異常検知装置に関し、特に、湯と水とを混合する混合弁と、シャワー，カランまたは浴槽などの給湯部とを繋ぐ給湯配管に関し、その配管に配設されるべき水温検出手段が他の配管に誤配設されていること検知する技術に関する。
【背景技術】
【０００２】
貯湯式給湯装置では、浴槽と湯張り混合弁とを繋ぐ湯張り配管、および浴槽以外の給湯部（シャワーやカラン）と給湯混合弁とを繋ぐ給湯配管のそれぞれに、その配管に流れる湯水の温度を検出するサーミスタ（水温検出手段）が配設されている。
【０００３】
そして、給湯部（例えばカラン）から所望の設定温度の湯を出湯する場合には、リモコン装置に所望の設定温度を設定してカランを開操作すると、給湯混合弁において、貯湯タンクからの湯と給水管からの水とが混合され、給湯配管を通じてアランから出湯される。そしてその給湯配管に流れる湯水の温度が、その給湯配管に配設された給湯サーミスタにより検出され、所定の制御装置により、前記給湯サーミスタの検出温度が前記設定温度になる様に給湯混合弁が制御される。この様にして、カランから設定温度の湯が出湯される。
【０００４】
同様に、浴槽に設定温度の湯を出湯させる場合も、湯張り配管に配設された湯張りサーミスタの検出温度が設定温度になる様に湯張り混合弁が制御されて、浴槽に設定温度の湯が出湯される。
【０００５】
従って、誤って、給湯サーミスタが湯張り配管に配設され、湯張りサーミスタが給湯配管に配設されると、例えばカランから湯を出湯させた場合、前記給湯配管に流れる湯水の温度が設定温度になっても、それが給湯サーミスタにより検知されず、その結果、給湯混合弁が湯側に全開されて、前記給湯配管に流れる湯水の温度が設定温度を超えて上昇し、カランから、設定温度よりも高い温度の湯が出湯されるという事態が生じる。同様に、浴槽に設定温度の湯を出湯させる場合も、浴槽に、設定温度よりも高い温度の湯が出湯されるという事態が生じる。
【０００６】
尚、給湯サーミスタが給湯配管に配設され、湯張りサーミスタが湯張り配管に配設されていても、制御部の接続部において、給湯サーミスタからの配線が湯張りサーミスタ用の接続部に誤接続され、湯張りサーミスタからの配線が給湯サーミスタ用の接続部に誤接続された場合や、制御部と給湯サーミスタおよび湯張りサーミスタとの中継部分において、給湯サーミスタからの配線が制御部の湯張りサーミスタ用の接続部からの配線と誤接続され、湯張りサーミスタからの配線が制御部の給湯サーミスタ用の接続部からの配線と誤接続された場合も、上記と同様の事態が生じる。以下では、給湯サーミスタおよび湯張りサーミスタの誤配設には、上記の様な、給湯サーミスタおよび湯張りサーミスタからの配線の誤接続も含むものとする。
【０００７】
尚、貯湯式給湯装置におけるサーミスタの誤配設を検知する先行技術としては、特許文献１が開示されている。
【０００８】
特許文献１では、温度が互いに異なり且つ一定の高低順になる湯が流れる各配管に配設される各サーミスタの誤配設を検知するものであり、前記各サーミスタの検出温度の高低順を調べ、その調べた高低順と、予め記憶しておいた前記一定の高低順とを比較することで、各サーミスタが、そのサーミスタが配設されるべき配管に配設されているかを識別して、各サーミスタの誤配設を検知している。
【先行技術文献】
【特許文献】
【０００９】
【特許文献１】特開２００１−２８９５０３号公報
【発明の概要】
【発明が解決しようとする課題】
【００１０】
特許文献１を、湯張りサーミスタと給湯サーミスタとの誤配設の検知に適用しても、湯張り配管に流れる湯と、給湯配管に流れる湯とは、特許文献１の前提条件である「一定の高低順になる湯」にならないので、それら各サーミスタの誤配設を検知できない。
【００１１】
そこで、この発明の課題は、湯と水とを混合する混合弁と、シャワー，カランまたは浴槽などの給湯部とを繋ぐ給湯配管に関し、その配管に配設されるべきサーミスタが他の配管に誤配設されていることを検知できる異常検知装置および水温検出手段配設判断装置を提供することにある。
【課題を解決するための手段】
【００１２】
上記課題を解決する為に、本発明の第１の態様に係る異常検知装置は、貯湯タンク（１）と、前記貯湯タンクからの湯と所定の給水管（ｈ２）からの水とを混合する混合弁（Ｂ２，Ｂ３）と、前記混合弁で混合された湯水を給湯部（５，３）へと流す給湯配管（ｈ５，ｈ８）と、前記給湯部から湯水が流出する状態であるか否かを検知する給湯検知手段（Ｗ１，Ｗ２）と、前記混合弁で混合された湯水が設定温度になる様に前記混合弁を制御する制御手段（５１）と、前記貯湯タンク内の湯の温度を検出する第１の水温検出手段（Ｔ１）と、前記給湯配管内の湯水の温度を検出すべき第２の水温検出手段（Ｔ２，Ｔ３）と、前記給湯検知手段により前記給湯部から湯水が流出する状態であることが検知される状態で、且つ前記第２の水温検出手段の検出温度が前記設定温度よりも低く且つ前記第１の水温検出手段の検出温度が前記設定温度よりも高い状態が、所定時間継続した場合に、前記第２の水温検出手段が誤配設された異常状態と判定する判定手段（５２）と、を備えるものである。
【００１３】
本発明の第２の態様に係る異常検知装置は、第１の態様に記載の異常検知装置であって、前記判定手段が前記異常状態と判定した場合に、その旨を報知する報知する報知手段（５３）を更に備えるものである。
【００１４】
本発明の第３の態様に係る異常検知装置は、第１の態様または第２の態様に記載の異常検知装置であって、前記制御手段は、前記判定手段が前記異常状態と判定した場合に、前記混合弁を前記所定の給水管側に全開させるものである。
【００１５】
本発明の第４の態様に係る水温検出手段配設判断装置は、貯湯タンク（１）と、前記貯湯タンクからの湯と所定の給水管（ｈ２）からの水とを個別に混合する第１及び第２混合弁（Ｂ２，Ｂ３）と、前記第１混合弁で混合された湯水を第１給湯部（５）へと流す第１給湯配管（ｈ５）と、前記第２混合弁で混合された湯水を第２給湯部（３）へと流す第２給湯配管（ｈ８）と、前記第１給湯部から湯水が流出する状態であるか否かを検知する第１給湯検知手段（Ｗ１）と、前記第１混合弁で混合された湯水が設定温度になる様に前記第１混合弁を制御する制御手段（５１）と、前記貯湯タンク内の湯の温度を検出する第１の水温検出手段（Ｔ１）と、前記第１及び第２給湯配管の何れか一方に配設され、前記一方にある湯水の温度を検出する第２の水温検出手段（Ｔ２またはＴ３）と、前記第１給湯検知手段により前記第１給湯部から湯水が流出する状態であることが検知される状態で、且つ前記第２の水温検出手段の検出温度が前記設定温度よりも低く且つ前記第１の水温検出手段の検出温度が前記設定温度よりも高い状態が所定時間継続したか否かを判定し、前記判定の結果が肯定的であれば前記第２の水温検出手段が前記第２給湯配管に配設されたと判定し、前記結果が否定的であれば前記第２の水温検出手段が前記第１給湯配管に配設されたと判定する判定手段（５２）と、を備えるものである。
【発明の効果】
【００１６】
本発明の第１の態様によれば、給湯部から湯水が流出する状態であることが検知される状態で、且つ第２の水温検出手段の検出温度が設定温度よりも低く且つ第１の水温検出手段の検出温度が前記設定温度よりも高い状態が、所定時間継続した場合に、第２の水温検出手段が誤配設された異常状態と判定するので、その異常判定により、前記給湯部に繋がる給湯配管に配設されるべき第２の水温検出手段が他の配管に誤配設されていることを検知できる。
【００１７】
本発明の第２の態様によれば、異常状態と判定された場合にその旨が報知されるので、給湯部の利用者に、その湯の温度が設定温度よりも高くなる可能性があることを報知できる。
【００１８】
本発明の第３の態様によれば、異常状態と判定された場合に混合弁が所定の給水管側に全開されるので、給湯部から、設定温度よりも高い湯が出湯されることを防止できる。
【００１９】
本発明の第４の態様によれば、第２の水温検出手段が第１給湯配管に配設されのか、または第２給湯配管に配設されたのかを判定する事ができる。
【図面の簡単な説明】
【００２０】
【図１】本発明の実施形態に係る異常検知装置が適用された貯湯式給湯装置１００の構成の一例図である。
【図２】図１の貯湯式給湯装置における給湯サーミスタＴ２の誤配設に関する異常検知動作を説明するフローチャートである。
【図３】図１の貯湯式給湯装置における湯張りサーミスタＴ３の誤配設に関する異常検知動作を説明するフローチャートである。
【図４】図１の貯湯式給湯装置における、給湯サーミスタと湯張りサーミスタとが入れ方って誤配設された場合の給湯サーミスタの誤配設に関する異常検知動作を説明するグラフである。
【発明を実施するための形態】
【００２１】
この実施形態に係る異常検知装置は、貯湯式給湯装置の給湯配管に配設されるサーミスタ（水温検出手段）の誤配設を検知するものである。
【００２２】
図１は、この実施形態に係る異常検知装置が適用された貯湯式給湯装置１００の構成概略図である。この貯湯式給湯装置１００は、貯湯タンク１に貯湯された湯を、利用者の操作に応じて、浴槽３に出湯しまたは浴槽３以外の給湯部（図１ではカラン）５から出湯するものである。
【００２３】
貯湯タンク１は、例えば円筒状に形成されており、その上部に、缶体上サーミスタ（第１の水温検出手段）Ｔ１が配設されている。このサーミスタＴ１は、貯湯タンク１に貯湯された湯の温度を検出するものである。
【００２４】
また貯湯タンク１の底面には、貯湯タンク１内に給水するための給水口１ａが設けられている。この給水口１ａは、第１給水管ｈ１を介して、水道水が供給される第２給水管ｈ２に分岐接続されている。尚、その分岐接続点には、例えば、第２吸水管ｈ２を通じて外部から流入する水の圧力を所定圧力に減圧する減圧弁Ｂ１が配設されている。
【００２５】
また貯湯タンク１の底面に吐出口１ｂが設けられると共に、貯湯タンク１の上部に入湯口１ｃが設けられている。吐出口１ｂと入湯口１ｃとは、循環配管ｈ３を介して連結されている。この循環配管ｈ３には、吐出口１ｂから流入する水を当該循環配管ｈ３を循環させて入湯口１ｃに流すための循環ポンプＰが配設されている。またこの循環配管ｈ３の一部は、ヒートポンプユニット７内に取り込まれており、ヒートポンプユニット７により循環配管ｈ３中の水が加熱されることで、貯湯タンク１内の水が沸き上げられて貯湯タンク１の上部側から順に貯湯される様になっている。
【００２６】
また貯湯タンク１の上部には、出湯口１ｄが形成されており、その出湯口１ｄは、第１給湯配管ｈ４を介して給湯混合弁Ｂ２に接続されている。尚、給湯混合弁Ｂ２には、更に、第２給水管ｈ２が接続されると共に、第２給湯配管ｈ５を介して給湯部５が接続されている。
【００２７】
給湯混合弁Ｂ２は、電動モータによりその弁体の開度が調整される電動式である。給湯混合弁Ｂ２は、その弁体の開度が調整されることで、第１給湯配管ｈ４からの湯と第２給水管ｈ２からの水とを所望の混合比で混合し、その混合した湯を第２給湯配管ｈ５を通じて給湯部５に流出させるものである。
【００２８】
尚、第２給湯配管ｈ５には、給湯サーミスタ（第２の水温検出手段）Ｔ２と、給湯流量センサ（給湯検知手段）Ｗ１とが備えられている。給湯サーミスタＴ２は、第２給湯配管ｈ５を流れる湯水の温度を検出するものである。また給湯流量センサＷ１は、第２給湯配管ｈ５を流れる湯水の流量を検出するものであるが、ここでは、給湯部５から湯水が流出する状態であるか否かを検知するものとして使用される。例えばゼロより大きい流量の検出は、給湯部５から湯水が流出する状態である事を検知した事を意味し、ゼロ流量の検出は、給湯部５から湯水が流出する状態でない事を検知した事を意味する。
【００２９】
また第１給湯配管ｈ４の分岐点Ｎ１は、第３給湯配管ｈ６を介して湯張り混合弁Ｂ３に接続されている。尚、湯張り混合弁Ｂ３には、更に、第２給水管ｈ２の分岐点Ｎ２が第３吸水管ｈ７を介して接続されると共に、浴槽３が第４給湯配管ｈ８を介して接続されている。尚、分岐点Ｎ１は、第１給湯配管ｈ４における出湯口１ｄと給湯混合弁Ｂ２との間に位置しており、分岐点Ｎ２は、第１給水管ｈ２における減圧弁Ｂ１と給湯混合弁Ｂ２との間に位置している。
【００３０】
湯張り混合弁Ｂ３は、電動モータによりその弁体の開度が調整される電動式である。湯張り混合弁Ｂ３は、その弁体の開度が調整されることで、第３給湯配管ｈ６からの湯と第３給水管ｈ７からの水とを所望の混合比で混合して、その混合した湯を、第４給湯配管ｈ８を通じて浴槽３に出湯させるものである。
【００３１】
尚、第４給湯配管ｈ８には、湯張りサーミスタ（第２の水温検出手段）Ｔ３と、湯張り流量センサ（給湯検知手段）Ｗ２とを備えている。湯張りサーミスタＴ３は、第４給湯配管ｈ８を流れる湯水の温度を検出するものである。また湯張り流量センサＷ２は、第４給湯配管ｈ８を流れる湯水の流量を検出するものであるが、ここでは、浴槽３から湯水が流出する状態であるか否かを検知するものとして使用される。例えばゼロより大きい流量の検出は、浴槽３から湯水が流出すり状態を検知した事を意味し、ゼロ流量の検出は、浴槽３から湯水が流出する状態でない事を検知した事を意味する。また湯張り電磁弁Ｂ４は、第２給湯配管ｈ５を流れる湯水の流量を調整するものである。
【００３２】
またこの貯湯式給湯装置１００は、制御装置５０と、リモコン装置（設定入力手段）６０とを備えている。制御装置５０は、各サーミスタＴ１〜Ｔ３および各流量センサＷ１，Ｗ２の検出結果に基づき、各弁Ｂ２，Ｂ３、ヒートポンプユニット７および循環ポンプＰ１を制御するものである。またリモコン装置１６０は、利用者の操作を受け付けるものである。
【００３３】
制御装置５０は、制御部（第１および第２の制御手段）５１と、判定部（判定手段）５２と、報知部（報知手段）５３とを備えている。
【００３４】
制御部５１は、給湯サーミスタＴ２の検出温度がリモコン装置６０に設定入力された給湯設定温度に一致する様に、給湯混合弁Ｂ２を制御する。これにより給湯部５から湯水が出湯された場合に、その湯水の温度が前記給湯設定温度に調整される。
【００３５】
また制御部５１は、湯張りサーミスタＴ３の検出温度がリモコン装置６０に設定入力された湯張り設定温度に一致する様に、給湯混合弁Ｂ３を制御する。これにより浴槽３に湯水が出湯された場合に、その湯水の温度が前記湯張り設定温度に調整される。
【００３６】
判定部５２は、一定時間毎に、各流量センサＷ１，Ｗ２と各サーミスタＴ１〜Ｔ３との検出結果に基づき、後述するステップを実行して、各サーミスタＴ２，Ｔ３が誤配設された異常状態にあるか否かを判定する。
【００３７】
また制御部５１は、判定部５２により各サーミスタＴ２，Ｔ３が異常状態にあると判定された場合に、それぞれ給湯混合弁Ｂ２を第２給水管ｈ２側に全開させ、湯張り混合弁Ｂ３を第３給水管ｈ７側に全開させる。
【００３８】
報知部５３は、判定部５２により異常状態にあると判定された場合に、その旨を報知するものである。ここでは、リモコン装置６０は、例えば、上記の異常状態を報知するＬＥＤ等の点灯部（図示省略）を備えており、報知部５３は、リモコン装置６０を介して上記の点灯部を点灯または点滅させる事で、上記の異常状態を報知する。または報知部５３は、音声出力部を備えており、その音声出力部により音声または報知音により上記の異常状態を報知する。
【００３９】
この貯湯式給湯装置１００の動作を説明する。
【００４０】
＜基本動作＞
給湯部５から湯を出湯する場合は、リモコン装置６０に給湯設定温度を設定入力した後、給湯部５を開操作する。これにより、貯湯タンク１内の湯が第１給湯配管ｈ４を通じて給湯混合弁Ｂ２に流入すると共に、第２給水管ｈ２からの水が給湯混合弁Ｂ２に流入し、給湯混合弁Ｂ２により、それら湯と水とが所定の混合比で混合され、その混合された湯が第２給湯配管ｈ５を通じて給湯部５から出湯される。その際、給湯サーミスタＴ２により第２給湯配管ｈ５内の湯水の温度が検出され、制御部５１により、給湯サーミスタＴ２の当該検出温度が前記給湯設定温度に一致する様に給湯混合弁Ｂ２が制御される。尚、給湯サーミスタＷ１により、給湯部５から湯水が流出する状態であるか否かが検知されている。
【００４１】
浴槽３に湯張りを行う場合は、リモコン装置６０に、湯張り設定温度を設定入力すると共に湯張り開始操作を入力する。これにより、貯湯タンク１内の湯が各部ｈ４→Ｎ１→ｈ６を経由して湯張り混合弁Ｂ３に流入すると共に、第２給水管ｈ２からの水が各部Ｎ２→ｈ７を経由して湯張り混合弁Ｂ３に流入し、湯張り混合弁Ｂ３により、それら湯と水とが所定の混合比で混合され、その混合された湯が第４給湯配管ｈ８を通じて浴槽３に出湯される。その際、湯張りサーミスタＴ３により第４給湯配管ｈ８内の湯水の温度が検出され、制御部５１により、湯張りサーミスタＴ３の当該検出温度が前記湯張り設定温度に一致する様に湯張り混合弁Ｂ３が制御される。尚、湯張りサーミスタＷ２により、浴槽３から湯水が流出する状態であるか否かが検知されている。
【００４２】
＜異常検知動作＞
次に図２に基づき、この貯湯式給湯装置１００における給湯サーミスタＴ２の誤配設を検知する動作を説明する。
【００４３】
ステップＳ１で、判定部５２により、一定時間毎に、給湯流量センサＷ１の検出結果に基づき、給湯部５から湯水が流出する状態であるか否かが判定される。そしてその判定の結果、給湯部５から湯水が流出する状態であると判定された場合は、ステップＳ２で、判定部５２により、更に、（ａ１）給湯サーミスタＴ２の検出温度がリモコン装置６０に設定された給湯設定温度よりも低く且つ（ｂ１）缶体上サーミスタＴ１の検出温度が前記給湯設定温度よりも高い状態であるか否か（以降、「第１判定」と呼ぶ）が判定される。
【００４４】
尚、給湯部５から湯水が流出する状態では、給湯サーミスタＴ２の誤配設が無ければ、制御部５１によって既述の＜基本動作＞が正常に行われるので、給湯部５から出湯する湯の温度が前記給湯設定温度に調整される。
【００４５】
そしてステップＳ２の第１判定の結果が否定的であると判定されると、処理はステップＳ１に戻る。第１判定結果が肯定的であると判定されると、ステップＳ３で判定部５２により所定時間の計時が開始される。そしてステップＳ４で、判定部５２により、給湯部５から湯水が流出する状態であり且つ上記（ａ１）且つ（ｂ１）の状態が所定時間継続したか否かが判定される。
【００４６】
そしてステップＳ４の判定結果が否定的であった場合は、処理がステップＳ１に戻り、肯定的であった場合は、ステップＳ５で判定部５２により給湯サーミスタＴ２が第２給湯配管ｈ５でない他の配管（例えば配管ｈ８の様にサーミスタの配設対象である他の配管）に誤配設された異常状態と判定される。そしてステップＳ６で、報知部５３により上記の異常判定の結果が報知されると共に、制御部５１により給湯混合弁Ｂ２が第２給水管ｈ２側に全開される。
【００４７】
尚、ステップＳ５で異常状態と判定された場合は、給湯サーミスタＴ２は、第２給湯配管ｈ５でない他の配管（例えば配管ｈ８の様にサーミスタの配設対象である他の配管）に流れる湯水の温度を検出していると判断される。この場合、当該他の配管内の湯水が例えば水の場合は、給湯混合弁Ｂ２を第１給湯配管ｈ４側に開けても、給湯サーミスタＴ２の検出温度は給湯設定温度に達しない。そのため、＜基本動作＞に沿った動作が行われると、給湯混合弁Ｂ２は益々第１給湯配管ｈ４側に開けられて、給湯部５からは、給湯設定温度よりも高い温度の湯が出湯される。しかしステップＳ６の様に、給湯混合弁Ｂ２が第２給水管ｈ２側に全開されることで、給湯部５から、給湯設定温度よりも高い温度の湯が出湯する事が防止される。
【００４８】
次に図３に基づき、この貯湯式給湯装置１００における湯張りサーミスタＴ３の誤配設を検知する動作を説明する。この場合の動作も、給湯サーミスタＴ２の誤配設を検知する動作と基本的には同じである。
【００４９】
即ちステップＵ１で、判定部５２により、一定時間毎に、湯張り流量センサＷ２の検出結果に基づき、浴槽３から湯水が流出する状態であるか否かが判定される。そしてその判定の結果、浴槽３から湯水が流出する状態であると判定された場合は、ステップＵ２で、判定部５２により、更に、（ａ２）湯張りサーミスタＴ３の検出温度がリモコン装置６０に設定された湯張り設定温度よりも低く且つ（ｂ２）缶体上サーミスタＴ１の検出温度が前記湯張り設定温度よりも高い状態であるか否か（以降、「第２判定」と呼ぶ）が判定される。
【００５０】
尚、浴槽５から湯水が流出する状態では、湯張りサーミスタＴ３の誤配設が無ければ、制御部５２によって既述の＜基本動作＞に則った動作が正常に行われるので、浴槽５から出湯する湯水の温度が前記湯張り設定温度に調整される。
【００５１】
そしてステップＵ２の第２判定の結果が否定的であると判定されると、ステップＵ１に戻る。第１判定結果が肯定的であると、ステップＵ３で判定部５２により所定時間の計時が開始される。そしてステップＵ４で、判定部５２により、浴槽３から湯水が流出する状態であり且つ上記（ａ２）且つ（ｂ２）の状態が所定時間継続したか否かが判定される。
【００５２】
そしてステップＵ４の判定の結果が否定的であった場合は、ステップＵ１に戻り、肯定的であった場合は、ステップＵ５で判定部５２により湯張りサーミスタＴ３が第４給湯配管ｈ８でない他の配管（例えば配管ｈ５の様にサーミスタの配設対象である他の配管）に誤配設された異常状態と判定される。そしてステップＵ６で、報知部５３により上記の異常判定の結果が報知されると共に、制御部５１により湯張り混合弁Ｂ３が第３給水管ｈ７側に全開されて、浴槽３から水が流出される。
【００５３】
尚、第１判定での上記の所定温度と第２判定での上記の所定温度は、同じ温度でも異なる温度でも良いが、ここでは同じ温度とする。また第１判定での上記の所定時間と第２判定での上記の所定時間も、同じ時間でも異なる温度でも良いが、ここでは同じ時間とする。
【００５４】
尚、説明便宜上、図２および図３の動作を個別に説明したが、実際には図２および図３の動作は並列処理により実行される事が望ましい。
【００５５】
図４は、第２給湯配管ｈ５に配設されるべき給湯サーミスタＴ２が第４給湯配管ｈ８に誤配設され、且つ第４給湯配管ｈ８に配設されるべき湯張りサーミスタＴ３が第２給湯配管ｈ５に誤配設された場合において、給湯部５から湯が出湯された場合の各サーミスタＴ１，Ｔ２，Ｔ３の検出温度Ｔａ，Ｔｂ，Ｔｃおよび給湯混合弁Ｂ２の開度の状態を示したグラフである。
【００５６】
図４では、貯湯タンク１内の湯の温度は、例えば８０℃に設定されている（従って缶体上サーミスタＴ１の検出温度Ｔａは例えば８０℃である）。また給湯設定温度Ｔｄは、例えば４０℃に設定されている。また浴槽３からの湯の出湯は無い場合（従って第４給湯配管ｈ４に配設された給湯サーミスタＴ２の検出温度Ｔｂは、例えば第４給湯配管ｈ４内に溜まった水の温度（例えば１０℃）である場合）を想定している。
【００５７】
即ち給湯部５が開操作されて給湯部５から湯が出湯されると（時刻τ１）、判定部５２により、給湯部５から湯水が流出する状態であると判定され（ステップＳ１）、更に（ｂ１）給湯サーミスタＴ２の検出温度Ｔｂが給湯設定温度Ｔｄよりも低く且つ（ａ１）缶体上サーミスタＴ１の検出温度Ｔａが給湯設定温度Ｔｄよりも高い状態であると判定されて（ステップ２）、所定時間ΔＴの計時が開始される（ステップＳ３）。
【００５８】
尚、給湯部５から湯水が流出する状態では、制御部５１により、給湯サーミスタＴ２の検出温度Ｔｂが給湯設定温度Ｔｄ（＝例えば４０℃）に一致する様に給湯混合弁Ｂ２の開度が制御される。しかし給湯サーミスタＴ２は、第４給湯配管ｈ８に誤配設されており、図４の場合では第４給湯配管ｈ８には湯は流れないので、その検出温度Ｔｂは水の温度（例えば１０℃）のまま変化しない。そのため、制御部５１により、給湯混合弁Ｂ２の開度は、給湯サーミスタＴ２の検出温度Ｔｂが給湯設定温度Ｔｄに一致する様に第１給湯配管ｈ４側に全開される。これに伴って、第２給湯配管ｈ５に誤配設された湯張りサーミスタＴ３の検出温度Ｔｃは、上昇するが、第４給湯配管ｈ８に誤配設された給湯サーミスタＴ２の検出温度Ｔｂは、一定温度（１０℃）のままである（期間Δτ１）。
【００５９】
そして判定部５２により所定時間ΔＴが計時されると（時刻τ２）、判定部５２により、給湯サーミスタＴ２が第２給湯配管ｈ５でない他の配管（ここではｈ８）に誤配設された異常状態と判定され（ステップＳ５）、報知部５２によりその異常判定の結果が報知されると共に、制御部５１により給湯混合弁Ｂ２の開度が第２給水管ｈ２側に全開される。これにより、給湯部５から出湯する湯が水になり（ステップＳ５）、これに伴って湯張りサーミスタＴ３の検出温度Ｔｃが水温レベルに低下する（期間Δτ２）。この様にして、給湯サーミスタＴ２の誤配設が検知された場合の対処がなされる。尚、湯張りサーミスタＴ３が例えば第２給湯宇配管ｈ５に誤配設された場合も同様にして、その誤配設が検知された場合の対処がなされる。
【００６０】
以上の様に構成された異常検知装置によれば、給湯部５から湯水が流出する状態であることが検知される状態で、且つ給湯サーミスタＴ２（第２の水温検出手段）の検出温度が給湯設定温度（設定温度）よりも低く且つ缶体上サーミスタＴ１（第１の水温検出手段）の検出温度が給湯設定温度よりも高い状態が、所定時間継続した場合に、給湯サーミスタＴ２が誤配設された異常状態と判定するので、その異常判定により、給湯部５に繋がる給湯配管ｈ５に配設されるべき給湯サーミスタＴ２が他の配管に誤配設されていること検知できる。
【００６１】
同様に、浴槽３から湯水が流出する状態であることが検知される状態で、且つ湯張りサーミスタＴ３（第２の水温検出手段）の検出温度が湯張り設定温度（設定温度）よりも低く且つ缶体上サーミスタＴ１（第１の水温検出手段）の検出温度が湯張り設定温度よりも高い状態が、所定時間継続した場合に、湯張りサーミスタＴ３が誤配設された異常状態と判定するので、その異常判定により、浴槽３に繋がる給湯配管ｈ８に配設されるべき湯張りサーミスタＴ３が他の配管に誤配設されていること検知できる。
【００６２】
また給湯サーミスタＴ２が誤配設された異常状態と判定された場合に、その旨が報知されるので、給湯部５の利用者に、その湯の温度が給湯設定温度（設定温度）よりも高くなる可能性があることを報知できる。同様に、湯張りサーミスタＴ３が誤配設された異常状態と判定された場合に、その旨が報知されるので、浴槽３（給湯部）の利用者に、その湯の温度が湯張り湯張り設定温度（設定温度）よりも高くなる可能性があることを報知できる。
【００６３】
また給湯サーミスタＴ２が誤配設された異常状態と判定された場合に、給湯混合弁Ｂ２（混合弁）が第２給水管ｈ２（所定の給水管）側に全開されるので、給湯部５から、給湯設定温度（設定温度）よりも高い湯が出湯されることを防止できる。同様に、湯張りサーミスタＴ３が誤配設された異常状態と判定された場合に、湯張り混合弁Ｂ３（混合弁）が第３吸水管ｈ７（所定の給水管）側に全開されるので、浴槽３から、湯張り設定温度（設定温度）よりも高い湯が出湯されることを防止できる。
【００６４】
また図４で説明した様に、サーミスタの配設対象となる配管が第２給湯配管ｈ５と第８給湯配管ｈ８の２つだけの場合は、流量センサＷ１（第１給湯検知手段）により給湯部５（第１給湯部）から湯水が流出する状態であることが検知される状態で、且つ第２給湯配管ｈ５（第１給湯配管）または第８給湯配管ｈ８（第２給湯配管）の何れかに配設されたサーミスタＴ２，Ｔ３（第２の水温検出手段）の検出温度が設定温度よりも低く且つ流量センサＷ１の検出温度が前記設定温度よりも高い状態が所定時間継続したか否かを判定し、前記判定の結果が肯定的であれば前記サーミスタＴ２，Ｔ３が第４給湯配管ｈ８（第２給湯配管）に配設されたと判定し、前記結果が否定的であれば前記サーミスタＴ２，Ｔ３が第２給湯配管ｈ５に配設されたと判定するので、前記サーミスタＴ２，Ｔ３が第２給湯配管ｈ５に配設されたのか、または第４給湯配管ｈ８に配設されたのかを判定する事ができる。
【００６５】
即ちこの実施形態は、本願発明の第４の形態に係る水温検出手段配設判断装置を例示する。
【符号の説明】
【００６６】
１  貯湯タンク
１ａ  吸水口
１ｂ  吐出口
１ｃ  入湯口
１ｄ  出湯口
３  浴槽（給湯部）
５  浴槽以外の給湯部
７  ヒートポンプユニット
５０  制御装置
５１  制御部
５２  判定部
５３  報知部
Ｂ１  減圧弁
Ｂ２  給湯混合弁
Ｂ３  湯張り混合弁
Ｂ４  湯張り電磁弁
ｈ１  第１給水管
ｈ２  第２給水管
ｈ３  循環配管
ｈ４  第１給湯配管
ｈ５  第２給湯配管
ｈ６  第３給湯配管
ｈ７  第３給水管
ｈ８  第４給湯配管
Ｔ１  缶体上サーミスタ
Ｔ２  給湯サーミスタ
Ｔ３  湯張りサーミスタ
Ｔａ  貯湯タンク内の湯の温度
Ｔｂ  給湯サーミスタＴ２の検出温度
Ｔｃ  湯張りサーミスタＴ３の検出温度
Ｔｄ  給湯設定温度
Ｗ１  給湯流量センサ
Ｗ２  湯張り流量センサ
【図１】
2010190509.tif 000003
【図２】
2010190509.tif 000004
【図３】
2010190509.tif 000005
【図４】
2010190509.tif 000006